(57)【要約】【課題】コンテキストを意識したレジャー活動提案システムのためのユーザーインターフェース等を提供する。【解決手段】片手で操作することができるコンテキストを意識した提案システムのためのユーザーインターフェースを支援するコンピュータシステムである。このコンピュータシステムは、プロセッサと、メモリと、ユーザーインターフェースを表示するタッチスクリーンディスプレーと、タッチスクリーンディスプレー上に提示される提案のリストと、ユーザーに提案に関連する好みを設定させるタッチスクリーンディスプレー上に提示される複数のグラフィック要素とを含んでなる。提案およびグラフィック要素の配置は、ユーザーに、片手でタッチスクリーンディスプレーを握らせ且つ提案および／またはグラフィック要素を操作させる。【選択図】図１
2009037584.tif 000002
【特許請求の範囲】
【請求項１】
片手で操作することができるコンテキストを意識した提案システムのためのユーザーインターフェースを支援するコンピュータシステムであって、前記コンピュータシステムは、
プロセッサと、
メモリと、
前記ユーザーインターフェースを表示するタッチスクリーンディスプレーと、
前記タッチスクリーンディスプレー上に提示される提案のリストと、
ユーザーに前記提案に関連する好みを設定させる前記タッチスクリーンディスプレー上に提示される複数のグラフィック要素とを含んでなり、
前記提案および前記グラフィック要素の配置は、ユーザーに、片手で前記タッチスクリーンディスプレーを握らせ且つ前記提案および／または前記グラフィック要素を操作させる、
ことを特徴とするコンピュータシステム。
【請求項２】
前記ユーザーインターフェースは、ユーザーに、活動を叩打させることによって前記提案を選択させ且つその詳細を閲覧させるように設定されている、請求項１に記載のコンピュータシステム。
【請求項３】
前記ユーザーインターフェースは、ユーザーが提案を叩打した後、前記選択された提案についてマーキングメニューを提示するように設定されている、請求項１に記載のコンピュータシステム。
【請求項４】
ユーザーが提案を詳細に閲覧することを選択した後、前記ユーザーインターフェースは、前記提案についての評価を提示し且つユーザーに前記提案を評価させるようにさらに設定されている、請求項１に記載のコンピュータシステム。
【請求項５】
前記ユーザーインターフェースは、ユーザーに、提案の評価を表すグラフィック要素に触れたまま前記要素上をスライドさせることによって前記提案を評価させるように設定されている、請求項１に記載のコンピュータシステム。
【請求項６】
ユーザーがレジャー活動を詳細に閲覧することを選択した後、前記ユーザーインターフェースは、ユーザーに、前記レジャー活動についてのコメントを閲覧および入力させるようにさらに設定されている、請求項１に記載のコンピュータシステム。
【請求項７】
前記提案は、レジャー活動についての提案を含んでなり、そして
前記提案に関連する好みは、活動の好み、場所の好み、および時間の好みのうちの少なくとも１つを含んでなる、請求項１に記載のコンピュータシステム。
【請求項８】
ユーザーに活動の好みを設定させるために、ユーザーが活動の好みに対応するグラフィック要素を叩打した後、前記ユーザーインターフェースは、ユーザーに、活動の種類および前記活動の種類に関連する好みを設定させるサブメニューを提示するようにさらに設定されている、請求項７に記載のコンピュータシステム。
【請求項９】
ユーザーに場所の好みを設定させるために、ユーザーが場所の好みに対応するグラフィック要素を叩打した後、前記ユーザーインターフェースは、ユーザーに、
住所、
興味のある地点、
ユーザーの現在地、および
ある特定の場所または現在地からの半径
のうちの少なくとも１つに基づいて場所の好みを設定させるサブメニューを提示するようにさらに設定されている、請求項７に記載のコンピュータシステム。
【請求項１０】
前記ユーザーインターフェースは、ユーザーに、全地球測位システム（ＧＰＳ）から提供される情報に基づいて現在地を設定させるように設定されている、請求項９に記載のコンピュータシステム。
【請求項１１】
ユーザーに時間の好みを設定させるために、ユーザーが時間の好みに対応するグラフィック要素を叩打した後、前記ユーザーインターフェースは、ユーザーに、レジャー活動が行われ得る
時間、
日付、および
月
のうちの少なくとも１つを設定させるサブメニューを提示するようにさらに設定されている、請求項７に記載のコンピュータシステム。
【請求項１２】
グラフィック要素の大きさは、前記タッチスクリーンディスプレー上の親指の跡とほぼ同じである、請求項７に記載のコンピュータシステム。
【請求項１３】
前記グラフィック要素の直径は、約９．２ｍｍである、請求項１２に記載のコンピュータシステム。
【請求項１４】
片手で操作することができるコンテキストを意識した提案システムのためのユーザーインターフェースであって、前記ユーザーインターフェースは、
タッチスクリーンディスプレーと、
前記タッチスクリーンディスプレー上に提示される提案のリストと、
ユーザーに前記提案に関連する好みを設定させる前記タッチスクリーンディスプレー上に提示される複数のグラフィック要素とを含んでなり、
前記提案および前記グラフィック要素の配置は、ユーザーに、片手で前記タッチスクリーンディスプレーを握らせ且つ前記提案および／または前記グラフィック要素を操作させる、
ことを特徴とするユーザーインターフェース。
【請求項１５】
コンピュータによって実行されたときに、前記コンピュータに片手で操作することができるコンテキストを意識した提案システムのためのユーザーインターフェースを生成させる命令を記憶したコンピュータ可読記憶媒体であって、前記ユーザーインターフェースは、
タッチスクリーンディスプレーと、
前記タッチスクリーンディスプレー上に提示される提案のリストと、
ユーザーに前記提案に関連する好みを設定させる前記タッチスクリーンディスプレー上に提示される複数のグラフィック要素とを含んでなり、
前記提案および前記グラフィック要素の配置は、ユーザーに、片手で前記タッチスクリーンディスプレーを握らせ且つ前記提案および／または前記グラフィック要素を操作させる、
ことを特徴とするコンピュータ可読記憶媒体。
【発明の詳細な説明】
【技術分野】
【０００１】
本発明は、コンピュータユーザーインターフェースに関する。さらに詳しくは、本発明は、片手で操作することができるコンテキストを意識したレジャー活動提案システムのためのユーザーインターフェースに関する。
【背景技術】
【０００２】
モバイルコンピューティング技術の最近の発展によって、これまでに例の無い、さまざまな機能の携帯端末への統合が可能となった。例えば、スマートフォンは、音声通信、インターネット接続、オーディオ／ビデオエンターテインメント、ゲーム、および全地球測位情報をユーザーに提供することができる。さらに、新しいディスプレー技術によって、従来よりも感度が良くかつ正確なタッチスクリーン機能を備えた従来よりも大型で、高輝度および高画質なディスプレーが可能となった。今日、これらの技術的進歩は、従来よりも高速なモバイルプロセッサおよび従来よりも安価で大容量のメモリと相まって、これまで不可能であった新しいアプリケーションのための基盤を形成することができる。
【０００３】
しかしながら、従来の携帯端末のほとんどは、インターネットを閲覧するといった基本的なネットワーク機能を提供するだけである。全地球測位システム（ＧＰＳ）、インターネットおよびディレクトリサービスといった異なる通信機能のためのアプリケーションは、互いに独立していることが多い。さらに、現行のユーザーインターフェースは、最新のディスプレー技術を活用したり、異なる通信方式間のアプリケーションのシームレスな統合を促進したりするようには作られていない。
【発明の開示】
【発明が解決しようとする課題】
【０００４】
コンテキストを意識したレジャー活動提案システムのためのユーザーインターフェース等を提供する。
【課題を解決するための手段】
【０００５】
本発明の１つの実施態様は、片手で操作することができるコンテキストを意識した提案システムのためのユーザーインターフェースを支援するシステムを提供する。前記ユーザーインターフェースは、タッチスクリーンディスプレーと、前記タッチスクリーンディスプレー上に提示される提案のリストとを含んでなる。前記ユーザーインターフェースは、ユーザーに前記提案に関連する好みを設定させる前記タッチスクリーンディスプレー上に提示される複数のグラフィック要素をさらに含んでなる。前記レジャー活動および前記グラフィック要素の配置は、ユーザーに、片手で前記タッチスクリーンディスプレーを握らせ且つ前記レジャー活動および／または前記グラフィック要素を操作させる。
【０００６】
本実施態様の１つの変化形において、前記ユーザーインターフェースは、ユーザーに、活動を叩打させることによって前記提案を選択させ且つその詳細を閲覧させる。
【０００７】
本実施態様の１つの変化形において、前記ユーザーインターフェースは、ユーザーが提案を叩打した後、前記選択されたレジャー活動についてマーキングメニューを提示する。
【０００８】
本実施態様の１つの変化形において、ユーザーが提案を詳細に閲覧することを選択した後、前記ユーザーインターフェースは、前記提案についての評価を提示し且つユーザーに前記レジャー活動を評価させる。
【０００９】
本実施態様の１つの変化形において、前記ユーザーインターフェースは、ユーザーに、提案の評価を表すグラフィック要素に触れたまま前記要素上をスライドさせることによって前記提案を評価させる。
【００１０】
本実施態様の１つの変化形において、ユーザーが提案を詳細に閲覧することを選択した後、前記ユーザーインターフェースは、ユーザーに、前記提案についてのコメントを閲覧および入力させる。
【００１１】
本実施態様の１つの変化形において、前記提案は、レジャー活動についての提案を含んでなる。さらに、前記提案に関連する好みは、活動の好み、場所の好み、および時間の好みのうちの少なくとも１つを含んでなる。
【００１２】
さらなる変化形において、ユーザーに活動の好みを設定させるために、ユーザーが活動の好みに対応するグラフィック要素を叩打した後、前記ユーザーインターフェースは、ユーザーに、活動の種類および前記活動の種類に関連する好みを設定させるサブメニューを提示する。
【００１３】
さらなる変化形において、ユーザーに場所の好みを設定させるために、ユーザーが場所の好みに対応するグラフィック要素を叩打した後、前記ユーザーインターフェースは、ユーザーに、住所、興味のある地点、ユーザーの現在地、およびある特定の場所または現在地からの半径のうちの少なくとも１つに基づいて場所の好みを設定させるサブメニューを提示する。
【００１４】
さらなる変化形において、前記ユーザーインターフェースは、ユーザーに、全地球測位システム（ＧＰＳ）から提供される情報に基づいて現在地をリストに保存させる。ユーザーは、前記リストにアクセスし、保存された場所を選択し、システムが提案をする際にその場所を使用するようにシステムを設定することができる。
【００１５】
さらなる変化形において、ユーザーに時間の好みを設定させるために、ユーザーが時間の好みに対応するグラフィック要素を叩打した後、前記ユーザーインターフェースは、ユーザーに、レジャー活動が行われ得る時間、日付、および月のうちの少なくとも１つを設定させるサブメニューを提示する。
【００１６】
本実施態様の１つの変化形において、グラフィック要素の大きさは、前記タッチスクリーンディスプレー上の親指の跡とほぼ同じである。
【００１７】
さらなる変化形において、前記グラフィック要素の直径は、約９．２ｍｍである。
【発明を実施するための最良の形態】
【００１８】
本詳細な説明に記載されるデータ構造およびコードは、一般に、コンピュータシステムによって使用されるコードおよび／またはデータを記憶できる任意の装置または媒体でよいコンピュータ可読記憶媒体に記憶される。前記媒体としては、揮発性メモリ、不揮発性メモリ、特定用途向け集積回路（ＡＳＩＣ）、フィールド・プログラマブル・ゲート・アレイ（ＦＰＧＡ）、磁気および光学式記憶装置、例えばディスクドライブ、磁気テープ、ＣＤ（コンパクトディスク）、ＤＶＤ（デジタル多用途ディスクまたはデジタルビデオディスク）、または今現在知られているまたは後に開発されるコンピュータ可読媒体を格納することができる他の媒体が挙げられるが、これらに限定されるわけではない。
【００１９】
本システムの実施態様は、コンテキストを意識した提案システムのためのユーザーインターフェースを提供する。特に、このユーザーインターフェースは、携帯用モバイルコンピューティングシステムに表示させることができ、かつ、ユーザーに前記提案システムを片手で操作させることができる。さらに、ユーザーは、前記提案システムを、持ち手の指一本、好ましくは親指で操作することができる。
【００２０】
前記コンテキストを意識した提案システムは、例えばユーザーの物理的状況、ユーザーと一緒にいる他の人々、ユーザーの過去の挙動および／またはユーザーの述べられた興味のような複数の要素に関連する情報を提供する。他の要素も、前記提案システムで用いることができる。
【００２１】
コンテキストを意識したシステムは、少なくとも１つの計算要素がユーザーによって明確に入力はされないという点で、検索システムとは異なる。提言は、各項目がユーザーにとってどれだけ有益となり得るかというシステムの予測に応じて成される。本開示において、活動に関する情報の提案は、「活動提案」と呼ばれる。
【００２２】
本発明のある１つの実施態様は、片手で操作することができるコンテキストを意識したレジャー活動提案システムを提供する。基礎を成す前記コンテキストを意識したレジャー活動提案システムは、例えばユーザーの現在の活動、位置および時間のような状況情報を組み合わせてユーザーにレジャー活動を提案するシステムである。また、このシステムは、ユーザーにレジャー活動の好みを設定させることによって、提案される活動がユーザーのニーズにより良く合うようにすることができる。
【００２３】
１つの実施態様において、提案は携帯機器に提供され、そしてユーザーは、その携帯機器を用いて提案リストとやりとりをしたり、前記リストを変更したりすることができる。例えば、ユーザーは、画面に一度に表示することができるよりも大きな提案リストをスクロールし、提供されている提案と似ている新しい一式の提案を要求し、そして任意の提案されている活動についてさらなる詳細を閲覧することができる。加えて、ユーザーは、現在の状況情報のいずれかを手動で無効にし、現時点では確認できないことがあるコンテキスト、例えば異なる場所、異なる時間にいることによって表されるコンテキストまたは異なる活動に参加していることによって表されるコンテキストに基づく提案を受けることができる。
【００２４】
本発明のユーザーインターフェースの実施態様は、タッチスクリーンで実施することができる。ボタンのようなメニュー項目を表すグラフィック要素は、指、好ましくは親指でたたくのに適した大きさである。ある実施態様では、これらの機能のすべてが、親指での操作用に最適化されたボタンのようなグラフィック要素によってアクセスすることができる。ある１つの実施態様では、ユーザーコントロールのために使用し得るグラフィック要素は、それらの最小寸法において、少なくとも約９．２ｍｍの直径を有する。ここで留意すべきは、この直径は、本発明の実施態様が機能するのに必須ではないということである。前記コントロールボタンの一部は、９．２ｍｍよりも小さくてもよい。
【００２５】
さらなる実施態様において、アプリケーションは、マーキングメニューを介して、いくつかの操作を利用できるようにする。タッチスクリーンディスプレー上のマーキングメニューは、以下のように動作する。ユーザーが指またはスタイラスで画面を叩打または押下して、しばらくの間、例えば１／３秒間、待つ（この操作は、「プレス・アンド・ウェイト」と呼ばれる）。そして、前記指またはスタイラスの先の下に放射状メニューが現れる。放射状メニューは、一般に、複数のスライスに分割された円からなる。各スライスは、１つのメニュー項目に関連する。そして、ユーザーは、前記指またはスタイラスを押し付けたままで、所望の項目に関連するスライスに対応する方向にストロークを描く。項目を選択するもう１つの方法は、前記放射状メニューの表示およびプレス・アンド・ウェイトプロセス無しで、前記メニュー内の所望の項目の位置および／または方向についてのユーザーの記憶を頼りにマークを描くことによる。マークは、指またはスタイラスを押し下げて直ぐに所望のメニュー項目の方向に移動することによって描かれる。マークは、異なる方向の複数のストロークを組み合わせてもよい。
【００２６】
マーキングメニューは、未使用時にはインターフェースのスペースを取らないので有利である（加えて、コントロールターゲットの大きさは比較的大きくなければならないという必要条件を考えると、スペースは、一般的なモバイルインターフェースの場合のスペースよりもさらに貴重である）。さらに、それらは、単純な動作で沢山のコントロールオプションにアクセスできる効率的な手段となり得るため、親指での使用にうまく適合する。
【００２７】
図１は、本発明の１つの実施態様によるコンテキストを意識したレジャー活動提案システムのためのユーザーインターフェースに表示される模範的なルートメニューを示す。ある１つの実施態様において、ルートメニュー１００は、リフレッシュボタン１０２、「キャプチャ」ボタン１０４、「オプション」ボタン１０６、活動設定ボタン１０８、場所設定ボタン１１０、時間設定ボタン１１２、マップタップ１１６、および提案される活動のリスト１１４を表示する。
【００２８】
リフレッシュボタン１０２を叩打することによって、ユーザーは、活動リスト１１４を、現在のまたは特定の状況情報で刷新することができる。活動リスト１１４は、特定の場所で特定の時間に行うことができ、かつ、ユーザーによって設定された特定の好みと合う活動のリストを示す。例えば、活動リスト１１４は、ユーザーが活動種類を「食べる」に指定した場合、特定の場所の近くのレストランだけを表示することができる。他の活動種類としては、飲み屋等を表示させることができる「飲む」、映画、オペラ、コンサート等を表示させることができる「観る」、公園、博物館、展覧会等を表示させることができる「見物する」、あるいは、任意の活動を表示させることができる「その他」が挙げられる。他の種類の活動も考えられる。
【００２９】
「キャプチャ」ボタン１０４は、ユーザーに情報の特性を獲得させる。キャプチャ機能は、光学式バーコード読取、無線ＩＣタグ（ＲＦＩＤ）読取、あるいはＩＣタグを獲得することができる他の技術といったさまざまな手段を利用して実現することができる。さらにユーザーは、前記リストを保存する、および／または、前記リストを他のユーザーに転送することができる。「オプション」ボタン１０６は、ユーザーに、提案される活動の現在のリストに対してさらなる操作を行わせることができる。例えば、ユーザーは、保存された提案を表示する、以前に閲覧された提案を閲覧する、または活動リストから検索することができる。
【００３０】
ある１つの実施態様において、ルートメニュー１００は、マップタップ１１６をさらに含んでなる。ユーザーがマップタップ１１６を叩打すると、ルートメニュー１００は、前記ユーザーの現在地を示す地図を表示することができる。この操作は、同じ携帯機器に備わっている全地球測位システム（ＧＰＳ）によって提供される情報に基づいて行われる。ある１つの実施態様において、前記システムは、前記ＧＰＳ情報を利用して、ユーザーの現在地の近くの活動を選択することができる。
【００３１】
ルートメニュー１００の下端には、活動設定ボタン１０８、場所設定ボタン１１０、および時間設定ボタン１１２が配置されている。ユーザーは、活動設定ボタン１０８を利用して、活動の種類を設定するだけでなく、特定の種類の活動についての特定の好みを設定することもできる。例えば、ユーザーが活動種類を「食べる」に指定した場合、前記ユーザーは、例えばタイ料理、イタリア料理、アメリカ料理等といった異なる種類の料理について彼の好みをさらに指定することができる。場所設定ボタン１１０は、ユーザーに、活動のための場所を設定させる。ユーザーは、所在地住所、興味のある地点、郵便番号を入力したり、同じ携帯機器に備わっているＧＰＳによって提供される現在地を使用することができる。時間設定ボタン１１２は、ユーザーに、活動のための特定の時間を設定させる。この時間は、未来でも現在の時間でもよい。携帯機器は、現在の時間を追跡するクロックを保つと思われる。
【００３２】
表示域が限られているため、ルートメニュー１００には、一般に、すべての提案される活動の詳細を表示する余裕がない。ある１つの実施態様において、本発明のユーザーインターフェースは、マーキングメニューを用いて、ユーザーに各々の活動を拡張させ、その詳細を閲覧させることができる。
【００３３】
図２は、本発明の１つの実施態様によるユーザーが提案されたレジャー活動を押した後に表示される模範的なマーキングメニューを示す。この実施例では、ユーザーが特定の活動を押すと、ユーザーインターフェースはマーキングメニューを表示する。前記マーキングメニューは、４つのメニュー項目（スライス）、すなわち、「前のページ」項目２０２、「コンテンツを見る」項目２０４、「次のページ」項目２０８および「もっとマップを表示する」項目２１０を備えた放射状メニューである。ユーザーが「前のページ」項目２０２の方向にストロークを描いた場合、ユーザーインターフェースは活動リストを上方へスクロールし、前記リストの前のページを表示する。換言すれば、「前のページ」項目２０２は、慣用のキーボードの「前ページ」キーと似ている。同様に、「次のページ」項目２０８の方向にストロークを描くことによって、ユーザーは、活動リストの次のページを閲覧することができる。すなわち、「次のページ」項目２０８は、慣用のキーボードの「次ページ」キーと似ている。
【００３４】
「コンテンツを見る」項目２０４は、ユーザーに、ユーザーが押した活動のコンテンツを閲覧させる。「コンテンツを見る」項目２０４の方向にストロークを描くことによって、ユーザーは、活動の詳細を閲覧することができる。
【００３５】
「もっとマップを表示する」項目２１０は、ユーザーに、ユーザーが押した活動の位置を示すマップを閲覧させる。
【００３６】
ある１つの実施態様において、放射状メニューの中心には「閉じる」ボタン２０６が存在する。ユーザーが「閉じる」ボタン２０６を叩打すると、マーキングメニューが閉じ、ユーザーインターフェースは前の表示画面（この場合、提案される活動のリスト）に戻る。
【００３７】
ここで留意すべきは、マーキングメニューは放射状メニューの表示を必要としないことである。ユーザーは、単純に、特定の方向にストロークを描くことによって、プレス・アンド・ウェイトプロセス無しで、該当する機能を起動することができる。例えば、ユーザーは、親指を使って活動リスト上に直接上向きのストロークを描くことによって前のページを閲覧することができ、下向きのストロークを描くことによって次のページを閲覧することができる。また、ユーザーは、右に向かってストロークを描くことによって直接活動の詳細にアクセスしたり、左に向かってストロークを描くことによってマップ上の活動の位置を閲覧することもできる。
【００３８】
ユーザーが活動の詳しいコンテンツを見ることを選択した場合、ユーザーインターフェースは、活動の詳細を掲載したサブメニューを表示する。図３は、本発明の１つの実施態様による、提案されるレジャー活動の詳細を示し、かつ、ユーザーにこの活動の評価を閲覧させ且つ入力させる模範的なサブメニューを示す。この実施例では、サブメニューは、活動詳細３０６、レビュー３０７、およびユーザーコメント３０８を表示する。さらに、前記サブメニューは、活動についてのユーザー評価指標３０４を示し、ユーザーに評価を入力させるスライディング機構３０２を提供する。
【００３９】
ある１つの実施態様において、活動詳細３０６は、会場および／または活動、場所、道順、営業時間および／または値段についての情報を含んでいてもよい。他の情報も表示することができる。ここで留意すべきは、活動の全コンテンツを限られたスペースに表示させることができない場合、ユーザーインターフェースは、マーキングメニューを利用して、ユーザーに上方または下方へスクロールさせてもっと詳細を閲覧させることができる。
【００４０】
レビュー３０７は、その活動についての１つ以上のレビューを示す。そのようなレビューは、第三者によって公開されてもよい。ユーザーコメント３０８は、ユーザーに、その活動または会場について他のユーザーが入力したコメントを閲覧させる。ある１つの実施態様において、さらにユーザーインターフェースは、ユーザーに、マーキングメニューを利用して彼自身のコメントを入力させることができる。例えば、ユーザーは、ユーザーコメント領域３０８を押すことができる。それに続いて表示されるマーキングメニューは、「コメント入力」項目を提供することができる。前記「コメント入力」項目は、ユーザー選択時に、ユーザーが彼自身のコメントを入力することができるサブメニューをもたらす。
【００４１】
ユーザーインターフェースの上部にはユーザー評価指標３０４が存在する。ある１つの実施態様において、ユーザー評価は、実線で描かれた星の数として表される。さらに、ユーザーインターフェースは、ユーザーに彼自身の活動の評価を入力させるスライディング機構３０２を提供する。この実施例では、ユーザー自身の評価は、境界が実線で描かれた空の星によって表されている。このように、ユーザーは、その活動についての平均評価と彼自身の評価とを区別することができる。さらに、ユーザーは、前記実線で描かれた星に親指またはスタイラスを押し付けたままスライドさせることによって彼自身の評価を入力することができる。また、ユーザーは、右に向かってストロークを描くことによって彼自身の評価を上げることができ、左に向かってストロークを描くことによって彼自身の評価を下げることができる。
【００４２】
さらにユーザーインターフェースは、「前の活動」ボタン３１０および「後の活動」ボタン３１２を表示する。「前の活動」ボタン３１０は、ユーザーに、提案される活動より前の活動について提案される情報の詳細を閲覧させる。同様に、「後の活動」ボタン３１２は、ユーザーに、活動リスト上の提案される活動の後に起こる活動について提案される情報の詳細を閲覧させる。
【００４３】
ある１つの実施態様において、ユーザーインターフェースは、ユーザーに、システムが活動を提案する際に基づく状況特性を設定させる。ある１つの実施態様において、ユーザーインターフェースは、ユーザーに活動の好みを設定させるグラフィックコントロール要素を提供する。
【００４４】
図４は、本発明の１つの実施態様による、ユーザーに活動の好みを設定させる模範的なマーキングメニューを示す。この実施例では、ユーザーが活動設定ボタン４０１を叩打した後、ユーザーインターフェースは、３つの項目、すなわち、「活動を変更する」項目４０２、「種類を変更する」項目４０４および「好み」項目４０６を提示するマーキングメニューを表示する。「活動を変更する」項目４０２は、ユーザーに、彼が参加したい活動に変更させる。例えば、ユーザーは、活動を「食べる」、「飲む」または「見物する」に設定することができる。
【００４５】
「種類を変更する」項目４０４は、ユーザーに、選択された活動のサブカテゴリーまたはサブタイプを任意に設定させる。例えば、ユーザーが活動を「食べる」に設定した後、さらにユーザーは、「種類を変更する」項目４０４を介して、サブカテゴリーを「朝食」または「昼食」に設定することができ、これにより、ユーザーインターフェースは、朝食または昼食を出すレストランのみを表示する。
【００４６】
「好み」項目４０６は、ユーザーに、選択された種類の活動についての好みをさらに設定させる。例えば、ユーザーが活動の種類として「食べる」を選択した場合、「好み」項目４０６は、ユーザーに、料理の種類、価格帯、予約の要不要および／または駐車スペースの要不要を設定させる。他の活動についての好みも設定することができる。
【００４７】
ユーザーが「活動を変更する」項目４０２を選択した後、ユーザーインターフェースは、ユーザーに活動リストから選択させるサブメニューを表示する。図５は、本発明の１つの実施態様による、ユーザーに活動を変更させる模範的なサブメニューを示す。この実施例では、サブメニューは、５つの特定の活動、すなわち、「食べる」、「買う」、「観る」、「見物する」および「読む」をユーザーに提示する。さらに、このサブメニューは、キャッチ・オール・オプションである「すべて」ボタンを提供する。ユーザーが「すべて」を選択すると、システムは、指定された場所および時間に基づいてユーザーにあらゆる種類の活動を提案することができる。
【００４８】
ユーザーが「好み」項目４０６を選択した場合、ユーザーインターフェースは、ユーザーに活動の好みを設定させるサブメニューを表示する。図６は、本発明の１つの実施態様による、ユーザーに、選択された活動種類の好みを変更させる模範的なサブメニューを示す。この実施例では、ユーザーが「食べる」という活動種類を選択したとする。サブメニューは、ユーザーに、例えば料理の種類、価格帯、予約の有無、駐車スペースの有無といった複数の好みを設定させる。好みのリストが１ページに表示することができるよりも長い場合、ユーザーインターフェースは、ユーザーに上方または下方へスクロールさせてさらなる好みの選択を閲覧させることができるマーキングメニューを提供することができる。
【００４９】
また、ユーザーは、マーキングメニューを利用して、各好みの選択の詳しいオプションにアクセスすることもできる。例えば、ユーザーは、「料理」を押して、ユーザーインターフェースに図７に示されるような「マーキングメニュー」を表示させることができる。さらにユーザーは、異なる種類の料理についての好みをユーザーにさらに設定させる「項目を評価する」を前記マーキングメニューから選択することができる。
【００５０】
図８は、本発明の１つの実施態様による異なる料理の種類についての料理の好みを表示する模範的なサブメニューを示す。この実施例では、サブメニューは、異なる料理の種類およびそれらに対応する好みの設定のリストを示す。ある１つの実施態様において、サブメニューは、「上向きの親指」または「下向きの親指」の数として各料理の種類についての好みの設定を示す。ユーザーは、ある料理の種類についての好みの設定を、その料理の種類を押すことによって変更することができる。前記料理の種類を押すことにより、ユーザーインターフェースは、マーキングメニューを表示する。そして、ユーザーは、上向きのストロークを描くことによって、その料理の種類についての「上向きの親指」の数を増やしたり、「下向きの親指」の数を減らしたりすることができる。さらにユーザーは、下向きのストロークを描くことによって、「上向きの親指」の数を減らしたり、「下向きの親指」の数を増やしたりすることもできる。
【００５１】
本発明のユーザーインターフェースの実施態様は、ユーザーに、活動についての場所および時間の好みを変更させることもできる。図１０は、本発明の１つの実施態様による、ユーザーにレジャー活動についての場所情報を入力させる模範的なサブメニューを示す。前記サブメニューは、住所および／または興味のある地点の説明を示す複数の場所フィールドを備えている。ユーザーは、フィールドを叩打することによって、該当する場所を選択することができる。また、ユーザーは、左下隅の「新規」ボタンを叩打して、空欄のフィールドの１つに新しい住所を入力することもできる。さらに、ユーザーは、「現在地」ボタンを叩打することによって、現在地を好ましい場所として設定することができる。ある１つの実施態様において、システムは、同じ携帯機器で作動しているＧＰＳアプリケーションから現在地の情報を入手する。画面上部の上向き矢印ボタンによって、ユーザーは、場所のリストを上方へスクロールすることができる。
【００５２】
図１１は、本発明の１つの実施態様による、ユーザーにレジャー活動に関する場所のリストから選択させる模範的なサブメニューを示す。この実施例では、サブメニューは、人の多い場所のリストを表示する。表示される場所は、異なるレベルの特異性を有していてもよい。例えば、表示される場所は、住所、目印、または興味のある地点でもよい。さらなる実施態様において、サブメニューは、ユーザーに特定の場所からの半径を指定させることもでき、これにより、ユーザーが活動が発生して欲しいと望む領域が特定される。
【００５３】
さらにシステムは、ユーザーに、時間設定ボタン１１２を押させることによって活動時間を設定させることもできる。図１２は、本発明の１つの実施態様による、ユーザーにレジャー活動に関する時間および日付を設定させる模範的なサブメニューを示す。ある１つの実施態様において、前記サブメニューは、時間、分、午前／午後、月、および日付について別々のボタンを表示する。さらに前記サブメニューは、ユーザーが各フィールドの値を変更できるようにマーキングメニューを提供することができる。例えば、ユーザーは、時間ボタンから上向きのストロークを描くことによって時間の値を増やしたり、分ボタンから下向きのストロークを描くことによって分の値を減らしたりすることができる。
【００５４】
前述のように、本発明のユーザーインターフェースの実施態様は、ユーザーが異なる状況特性を設定する上で幅広い柔軟性を提供することができる。図１３は、本発明の１つの実施態様によるユーザーインターフェースの動作の模範的な状態図を示す。
【００５５】
一般に、ルートメニュー１３００は、活動のリストおよび６つのボタンを表示する。前記ボタンは、３つが上部に、残りの３つが下部に表示される。上部左側のボタンは、ユーザーに現在の状況特性設定に基づいて活動リストを刷新させる「リフレッシュ」ボタンである。上部中央のボタンは、ユーザーに特定の情報に関連する物理的識別子、例えばＵＲＬ、文書識別番号など、を獲得させる「キャプチャ」ボタンである（サブメニュー１３０２）。上部右側のボタンは、「オプション」ボタンである。下部左側のボタンは、活動設定ボタンである。下部中央のボタンは、場所設定ボタンである。下部右側のボタンは、時間設定ボタンである。
【００５６】
ユーザーが活動リストを叩打して対応するマーキングメニューを起動させると、ユーザーインターフェースは提案詳細（サブメニュー１３０８）を表示する。提案詳細サブメニューは、レビュー１３１２およびユーザーコメント１３１４も表示することができる。ユーザーコメント１３１４を含むフィールドは、ユーザーにコメント１３１６を追記させることもできる。
【００５７】
ある１つの実施態様において、提案詳細サブメニュー１３０８は、ユーザーが、活動を保存する（メニュー項目１３２４）、活動を他のユーザーに転送する（メニュー項目１３２６）および活動をカレンダーに追加する（メニュー項目１３２８）というオプションも提供する。
【００５８】
活動リストを叩打することによって、ユーザーは、サブメニュー１３１０上の選択された活動に関連する記事を読むこともできる。
【００５９】
ユーザーがルートメニュー１３００の右上隅のオプションボタンを押すと、ユーザーインターフェースは、３つのメニュー項目、すなわち、「保存データおよびコレクションリスト」項目１３３８、「以前に閲覧されたデータ」項目１３４４、および「検索キーワードを入力する」項目１３４８を表示する。
【００６０】
「保存データおよびコレクションリスト」項目１３３８は、ユーザーに、保存されている活動項目の詳細を閲覧させ（サブメニュー１３４０）、保存されている活動の数といった、コレクションの内容を閲覧させる（サブメニュー１３４２）。
【００６１】
「以前に閲覧されたデータ」項目１３４４は、ユーザーに、以前に閲覧された活動項目の詳細を閲覧させる（サブメニュー１３４６）。
【００６２】
「検索キーワードを入力する」項目１３４８は、ユーザーに、あるキーワードで活動リストを検索させる。
【００６３】
ユーザーがルートメニュー１３００の左下隅の活動の好みボタンを叩打すると、ユーザーインターフェースは、「活動を設定する」項目１３３０、「場所の種類を設定する」項目１３３２および「好みを変更する」項目１３３４を含んでなるマーキングメニューを表示する。「活動を設定する」項目１３３０は、ユーザーに、「食べる」、「見物する」または「観る」といった活動を設定させる。「場所の種類を設定する」項目１３３２は、ユーザーに、選択された活動に関する場所の種類を設定させる。「好みを変更する」項目１３３４は、ユーザーに、選択された活動についての好みを設定させ、ユーザーに好みの属性を変更させるサブメニュー１３３６をさらに含んでいてもよい。
【００６４】
ユーザーがルートメニュー１３００の場所設定ボタン（下部中央）を叩打すると、ユーザーインターフェースは、場所変更サブメニュー１３１８を表示する。さらに、ユーザーインターフェースは、ユーザーに、選択された場所からの半径距離を変更させたり（メニュー項目１３２０）、現在地を保存させたり（メニュー項目１３２２）することができる。
【００６５】
ユーザーがルートメニュー１３００の時間設定ボタン（下部右側）を叩打すると、ユーザーインターフェースは、ユーザーに日付および／または時間を指定させる時間変更サブメニュー（１３０４）を表示する。さらに、ユーザーインターフェースは、ユーザーに、活動が生じ得る期間を変更させることができる（メニュー項目１３０６）。
【００６６】
ここで留意すべきは、先述の状態図は本発明の実施態様の１つに過ぎないということである。他の構成およびメニューオプションも可能である。
【００６７】
図１４は、本発明の１つの実施態様によるレジャー活動提案システムのための片手操作ユーザーインターフェースを備えた模範的なコンピュータシステムを示す。ある１つの実施態様において、コンピュータおよび通信システム１４００は、入力装置と出力装置の両方の役割を果たすタッチスクリーンディスプレー１４０２に接続されている。コンピュータおよび通信システム１４００は、プロセッサ１４０４、メモリ１４０６、および記憶装置１４０８を含んでなる。
【００６８】
記憶装置１４０８は、コンテキストを意識したレジャー活動提案アプリケーション１４１６、およびアプリケーション１４２０および１４２２のような他のアプリケーションを記憶する。ある１つの実施態様において、コンテキストを意識したレジャー活動提案アプリケーション１４１６は、片手操作をサポートし、かつ、ユーザーにコンピュータおよび通信システム１４００を指一本、好ましくは親指で操作させるユーザーインターフェース１４１８を支援するプログラムをさらに含んでなる。
【００６９】
動作時、コンテキストを意識したレジャー活動提案アプリケーション１４１６は、記憶装置１４０８からメモリ１４０６にロードされた後、プロセッサ１４０４によって実行される。プログラムを実行している間、プロセッサ１４０４は、前述の機能を実行する。
【図面の簡単な説明】
【００７０】
【図１】本発明の１つの実施態様によるコンテキストを意識したレジャー活動提案システムのためのユーザーインターフェースに表示される模範的なルートメニューを示す図である。
【図２】本発明の１つの実施態様によるユーザーが提案された活動を押した後の模範的なマーキングメニューを示す図である。
【図３】本発明の１つの実施態様による、提案されるレジャー活動の詳細を示し、かつ、ユーザーにこの活動の評価を閲覧させ且つ入力させる模範的なサブメニューを示す図である。
【図４】本発明の１つの実施態様による、ユーザーに活動の好みを設定させる模範的なマーキングメニューを示す図である。
【図５】本発明の１つの実施態様による、ユーザーに活動を変更させる模範的なサブメニューを示す図である。
【図６】本発明の１つの実施態様による、ユーザーに、選択された活動種類の好みを変更させる模範的なサブメニューを示す図である。
【図７】本発明の１つの実施態様による、「食べる」という活動種類に関して異なる料理の種類についての好みをユーザーに設定させる模範的なマーキングメニューを示す図である。
【図８】本発明の１つの実施態様による異なる料理の種類についての料理の好みを表示する模範的なサブメニューを示す図である。
【図９】本発明の１つの実施態様による、ある種類の料理についての好みの設定をユーザーに増減させる模範的なマーキングメニューを示す図である。
【図１０】本発明の１つの実施態様による、ユーザーにレジャー活動についての場所情報を入力させる模範的なサブメニューを示す図である。
【図１１】本発明の１つの実施態様による、ユーザーにレジャー活動に関する場所のリストから選択させる模範的なサブメニューを示す図である。
【図１２】本発明の１つの実施態様による、ユーザーにレジャー活動に関する時間および日付を設定させる模範的なサブメニューを示す図である。
【図１３】本発明の１つの実施態様によるユーザーインターフェースの動作の模範的な状態図である。
【図１４】本発明の１つの実施態様によるレジャー活動提案システムのための片手操作ユーザーインターフェースを備えた模範的なコンピュータシステムを示す図である。
【図１】
2009037584.tif 000003
【図２】
2009037584.tif 000004
【図３】
2009037584.tif 000005
【図４】
2009037584.tif 000006
【図５】
2009037584.tif 000007
【図６】
2009037584.tif 000008
【図７】
2009037584.tif 000009
【図８】
2009037584.tif 000010
【図９】
2009037584.tif 000011
【図１０】
2009037584.tif 000012
【図１１】
2009037584.tif 000013
【図１２】
2009037584.tif 000014
【図１３】
2009037584.tif 000015
【図１４】
2009037584.tif 000016